(57)【要約】【課題】遊技機における光の演出効果を向上させることができると共に、発光源の配線構造を簡単にし、駆動源の低容量化、低コスト化を図ることができる遊技機の発光体を提供すること。【解決手段】遊技機の発光体３は、発光源７１から発せられた光Ｘを誘導する光誘導部４と、光誘導部４によって誘導された光Ｘを反射させる光反射部５と、光反射部５によって反射された光Ｘを外部へ向けて照射させる光導出部６とを備えている。発光体３は、光誘導部４、光反射部５及び光導出部６を、駆動源によって発光源７１に対して一体的に回動駆動するよう構成してある。【選択図】図３
2011147471.tif 000002
【特許請求の範囲】
【請求項１】
発光源から発せられた光を誘導する光誘導部と、
該光誘導部によって誘導された光を反射させる光反射部と、
該光反射部によって反射された光を外部へ向けて照射させる光導出部とを備えており、
上記光誘導部、上記光反射部及び上記光導出部を、駆動源によって上記発光源に対して一体的に回動駆動するよう構成したことを特徴とする遊技機の発光体。
【請求項２】
請求項１に記載の遊技機の発光体において、該発光体は、内部に空間を形成した中空形状を有し、回動中心軸部から径方向外方へと突出して形成してあり、
上記発光源は、上記回動中心軸部の周囲に対向する位置において、該回動中心軸部の軸方向へ光を発する向きに配設してあり、
上記光誘導部は、上記発光源から発せられた軸方向へ向かう光を径方向外方へ誘導するよう構成してあり、
上記光反射部は、上記中空形状の発光体の内壁面に形成してあり、
上記光導出部は、上記中空形状の発光体に形成した光透過開口部であることを特徴とする遊技機の発光体。
【請求項３】
請求項１又は２に記載の遊技機の発光体において、上記光誘導部の少なくとも一部を透明材料からなる透明導光部材から構成したことを特徴とする遊技機の発光体。
【発明の詳細な説明】
【技術分野】
【０００１】
本発明は、回動しながら光を照射するよう構成した遊技機の発光体に関する。
【背景技術】
【０００２】
パチンコ遊技機等においては、発光による演出を多用しており、回転しながら発光する回転発光体が知られている。
例えば、特許文献１の遊技機用回転摺接式集電装置においては、電動モータの出力軸にスリップリングを介して発光制御基板を取り付け、発光制御基板を回転させながらこの発光制御基板に設けたＬＥＤから発光させることが開示されている。これによれば、スリップリングによってＬＥＤの配線が捩れることを防止して、ＬＥＤから発光することができる。
【先行技術文献】
【特許文献】
【０００３】
【特許文献１】特開２００７−３１２９１２号公報
【発明の概要】
【発明が解決しようとする課題】
【０００４】
しかしながら、上記特許文献１の回転摺接式集電装置は、ＬＥＤ等の発光源自体を回転させるものである。そのため、スリップリング等の特別な電装部品が必要となり、コストアップとなるだけでなく、装置の大型化、重量化を招き、装置を回転駆動するためのモータ等の高容量化を避けることができない。
一方、発光源の前面側に回転部材を配置し、この回転部材を回転させることによって発光源による光の見え方を変化させることが考えられる。しかしながら、この方法によっても、遊技機における光の演出効果をより向上させるためには十分ではない。
【０００５】
本発明は、かかる従来の問題点に鑑みてなされたもので、遊技機における光の演出効果を向上させることができると共に、発光源の配線構造を簡単にし、駆動源の低容量化、低コスト化を図ることができる遊技機の発光体を提供しようとするものである。
【課題を解決するための手段】
【０００６】
本発明は、発光源から発せられた光を誘導する光誘導部と、
該光誘導部によって誘導された光を反射させる光反射部と、
該光反射部によって反射された光を外部へ向けて照射させる光導出部とを備えており、
上記光誘導部、上記光反射部及び上記光導出部を、駆動源によって上記発光源に対して一体的に回動駆動するよう構成したことを特徴とする遊技機の発光体にある（請求項１）。
【発明の効果】
【０００７】
本発明の遊技機の発光体は、駆動源によって、発光源に対して光誘導部、光反射部及び光導出部を一体的に回動駆動するよう構成してある。
そして、発光源から発せられた光は、光誘導部によって誘導されると共に光反射部によって反射され、光導出部から外部へ照射される。このとき、駆動源によって、光誘導部、光反射部及び光導出部を一体的に回動駆動することにより、発光源から発せられた光を、発光体の回動領域の全体から円弧形状又は円形状に照射することができ、遊技機における光の演出効果を向上させることができる。
【０００８】
また、本発明においては、発光源を回動させることがないため、発光源の配線が捩れることがなく、発光源の配線構造を簡単にすることができる。そして、スリップリング等を用いる必要がなく、発光体を駆動する駆動源の低容量化、低コスト化を図ることができる。
それ故、本発明の遊技機の発光体によれば、遊技機における光の演出効果を向上させることができると共に、発光源の配線構造を簡単にし、駆動源の低容量化、低コスト化を図ることができる。
【図面の簡単な説明】
【０００９】
【図１】実施例１における、遊技機の発光体を前面側から見た状態で示す斜視図。
【図２】実施例１における、遊技機を前面側から見た状態で示す説明図。
【図３】実施例１における、遊技機の発光体の側方断面を示す説明図。
【図４】実施例１における、遊技機の発光体を後面側から見た状態で示す斜視図。
【図５】実施例１における、光誘導部（光反射部材）を前面側から見た状態で示す斜視図。
【図６】実施例１における、光誘導部（光反射部材）を前面側から見た状態で示す平面図。
【図７】実施例２における、遊技機の発光体の側方断面を示す説明図。
【発明を実施するための形態】
【００１０】
上述した本発明の遊技機の発光体における好ましい実施の形態につき説明する。
本発明において、上記発光体は、内部に空間を形成した中空形状を有し、回動中心軸部から径方向外方へと突出して形成してあり、上記発光源は、上記回動中心軸部の周囲に対向する位置において、該回動中心軸部の軸方向へ光を発する向きに配設してあり、上記光誘導部は、上記発光源から発せられた軸方向へ向かう光を径方向外方へ誘導するよう構成してあり、上記光反射部は、上記中空形状の発光体の内壁面に形成してあり、上記光導出部は、上記中空形状の発光体に形成した光透過開口部であることが好ましい（請求項２）。
この場合には、回動中心軸部から径方向外方へと突出するコンパクト形状の発光体により、発光体による光の照射領域を、回動領域の全体として容易に拡大することができる。
また、発光体の内部を中空形状で形成することにより発光体を軽量化させることができ、より弱い駆動力で発光体を回動駆動することができる。また、発光体の内壁面を光反射部として用いているので光を効果的に反射させることができ、目的とする光導出部（光透過開口部）より光を適切に外部に向けて照射することができる。
【００１１】
また、上記光誘導部の少なくとも一部は、透明材料からなる透明導光部材から構成することが好ましい（請求項３）。
この場合には、透明導光部材によって光を効果的に誘導することができる。
【実施例】
【００１２】
以下に、本発明の遊技機の発光体にかかる実施例につき、図面を参照して説明する。
（実施例１）
本例の遊技機１の発光体３は、図１、図３、図４に示すごとく、発光源７１から発せられた光Ｘを誘導する光誘導部４と、光誘導部４によって誘導された光Ｘを反射させる光反射部５と、光反射部５によって反射された光Ｘを外部へ向けて照射させる光導出部６とを備えている。発光体３は、光誘導部４、光反射部５及び光導出部６を、発光体用駆動源３３によって発光源７１に対して一体的に回動駆動するよう構成してある。
【００１３】
以下に、本例の遊技機１の発光体３につき、図１〜図６を参照して詳説する。
図２に示すごとく、本例の遊技機１は、パチンコ遊技機であり、球発射装置によって遊技球を遊技盤２１に設けた遊技領域２１１へ発射し、役物等への入賞があったときに、球払出装置によって所定数の遊技球を球皿２３へ払い出すよう構成したものである。遊技盤２１は、本体枠２の前面側に配設してあり、遊技盤２１の前面側は、ガラス枠２４によって覆われている。
本例の発光体３は、発光体用駆動源３３によって回転駆動する回転発光体であり、遊技盤２１における画像表示装置２２の前面側に配置されている。
【００１４】
図１、図３に示すごとく、発光体３は、内部に反射空間３２を形成した中空形状を有しており、回転中心軸部（回動中心軸部）３１から径方向外方Ｒへと突出して形成してある。
本例の発光源７１は、ベース基板部７の前面に設けてあり、発光体３の回転中心軸部３１の周囲に対向する位置において、回転中心軸部３１の軸方向の前方（遊技機１の前方）Ｆへ光Ｘを発する向きに配設してある。
本例の発光体用駆動源３３は、電動モータ３３によって構成してあり、本例の発光体３は、電動モータ３３の回転を受けて連続回転するよう構成してある。本例の発光体３は、回転中心軸部３１に対する垂直方向の対称位置に一対の径方向発光部分３０を設けてなる。
【００１５】
図５、図６に示すごとく、本例の光誘導部４は、発光源７１から発せられた軸方向前方Ｆへ向かう光Ｘを径方向外方Ｒへ反射させる光反射部材４によって構成してある。
光反射部材４は、後述する反射ケース５１の底面部５１１と対向する底板部４１と、底板部４１に対して前方Ｆに傾斜して一対に設けた半円状反射部４２とを形成してなる。半円状反射部４２は、外形が半円形状の平板によって形成されている。光反射部材４は、合成樹脂からなり、半円状反射部４２の外側面には、合成樹脂の表面に金属メッキ又は白色樹脂のコーティングを施して反射面４２１が形成してある。
図１、図４に示すごとく、本例の径方向発光部分３０は、回転中心軸部３１に対する対称位置に一対に形成してあり、光反射部材４は、一対の径方向発光部分３０の形成方向に対応して一対に形成してある。そして、光反射部５は、径方向発光部分３０に形成されている。
【００１６】
図３に示すごとく、本例の光反射部５は、光反射部材４を軸方向後方から覆い、内壁面によって光Ｘを反射させる反射ケース５１と、光反射部材４を軸方向前方Ｆから覆い、光反射部材４と共に光Ｘの反射空間３２を形成するカバー５２とによって形成してある。
また、光反射部５は、回転中心軸部３１から径方向外方Ｒの先端に向かうに連れて、上下幅及び左右幅が縮小するように楔形状に形成してある。これにより、発光源７１から発せられた光Ｘを、発光体３の回転中心軸部３１から径方向外方Ｒの先端部に向けて効果的に誘導することができる。
【００１７】
反射ケース５１は、光反射部材４の半円状反射部４２における反射面４２１に対して傾斜して対向する底面部５１１と、底面部５１１の外縁部から前方Ｆへ立設した外壁部５１２とによって形成してある。反射ケース５１は、合成樹脂からなると共に合成樹脂の内側表面に金属メッキ又は白色樹脂のコーティングを施してなる。金属メッキ又は白色樹脂のコーティングは、反射ケース５１における底面部５１１及び外壁部５１２の内側表面の全体に施してある。
反射ケース５１における底面部５１１の内側表面及びカバー５２における前面部５２１の内側表面の少なくとも一方には、光Ｘを屈折させるための三角状、ドット状等の多数のプリズム５５が形成してある。
【００１８】
同図に示すごとく、本例の光導出部６は、中空形状の発光体３に形成した光透過開口部（レンズ部）６によって構成してある。光透過開口部６は、カバー５２の前面部５２１において、各径方向発光部分３０における径方向に並ぶよう複数設けてある。
カバー５２は、反射ケース５１の底面部５１１と対向する前面部５２１と、前面部５２１の外縁部から後方へ立設した外壁部５２２とによって形成してある。カバー５２における光透過開口部６は、透明の合成樹脂から形成してある。カバー５２において、光透過開口部６以外の残部は、合成樹脂からなり、合成樹脂からなる前面部５２１及び外壁部５２２の内側面には金属メッキ又は白色樹脂のコーティングが施してある。
【００１９】
中空形状の発光体３は、反射ケース５１とカバー５２とによって囲まれて形成されており、一対の径方向発光部分３０は、それぞれ反射ケース５１とカバー５２とによって囲まれた中空部分として形成されている。
本例の光反射部材４、反射ケース５１及びカバー５２は、回転中心軸部３１に対する垂直方向の両側において、均等な長さで一対の径方向発光部分３０を形成している。
なお、発光体３の径方向発光部分３０は、回転中心軸部３１に対する径方向に向けて３つ、４つ等の複数本均等な長さで形成することもできる。
【００２０】
図６に示すごとく、本例の発光源７１は、発光ダイオード（ＬＥＤ）７１からなり、発光ダイオード７１は、ベース基板部７において、発光体３の回転中心軸部３１の回りに周方向に等間隔に複数（本例では４つ）配置してある。本例のベース基板部７は、発光体３の回転中心軸部３１を挿通させる中心穴７２を有する円環形状に形成してある。ベース基板部７は、後述する回動アーム８の先端部８２の前面に配設してある。
【００２１】
光反射部材４の底板部４１には、４つの発光ダイオード７１のうち互いに対向する位置に配置した２つの発光ダイオード７１から発した光Ｘを前方Ｆへ直接通過させる光通過口４３が２つ形成してある。カバー５２には、２箇所の光通過口４３の形成位置に対応して、光直進部６１が形成してある（図１参照）。そして、発光体３が回動する際に、４つの発光ダイオード７１のうちのいずれか２つの発光ダイオード７１の前方に、２つの光通過口４３及び光直進部６１が順次配置されるごとに、２つの発光ダイオード７１の光Ｘが前方Ｆへ直接照射されるよう構成されている。
【００２２】
発光体３が連続して回転する際には、４つの発光ダイオード７１のうちの少なくとも１つの発光ダイオード７１による光Ｘが、光反射部材４の各半円状反射部４２における反射面４２１によって径方向発光部分３０を形成した径方向外方Ｒへ誘導される。そして、発光体３における光導出部６からは、常時前方Ｆへ光Ｘを照射することができる。
なお、図３においては、光反射部材４が、底板部４１及び光通過口４３を有していない場合について示した。
【００２３】
図４に示すごとく、本例の発光体３は、その回転中心軸部３１を、遊技機１の遊技盤２１に対して回動可能に配設した回動アーム８に対して設けて、連続回転可能に構成されている。
図２に示すごとく、本例の回動アーム８は、遊技盤２１に固定された支持部８０に軸支してあり、通常は、待機位置として画像表示装置２２の端部（本例では上端部）の前方Ｆに位置している。このとき、長尺形状の発光体３は、回動アーム８の前方Ｆにおいて回動アーム８と平行に配置されている。そして、回動アーム８は、パチンコ遊技において所定の演出条件が成立したときに、回動アーム用駆動源８３を構成する電動モータ８３によって、回動位置として画像表示装置２２の画像表示領域の前方Ｆへ回動する。このとき、発光体３は、回動アーム８に対して連続回転を行う。
【００２４】
図４に示すごとく、発光体３の発光体用駆動源３３である電動モータ３３は、回動アーム８の回動の基端部８１に配設してあり、発光体３の回転中心軸部３１は、回動アーム８の先端部８２に配設してある。電動モータ３３の出力軸及び回転中心軸部３１にはギヤ３５Ａ、３５Ｂがそれぞれ設けてあり、各ギヤ３５Ａ、３５Ｂ間は、回動アーム８の裏面に回転可能に設けた駆動シャフト３４、駆動シャフト３４に設けて電動モータ３３の出力軸におけるギヤ３５Ａと噛合するギヤ３５Ｃ、回転中心軸部３１におけるギヤ３５Ｂと直交して噛合するウォームギヤ３５Ｄを用いて噛合されている。そして、電動モータ３３を駆動すると、駆動シャフト３４及び各ギヤ３５Ａ、３５Ｂ、３５Ｃ、３５Ｄを介して発光体３が回転する。このように発光体３を回転駆動させるための電動モータ３３を、回動アーム８の先端部８２側ではなく基端部８１側に配設することにより、回動アーム８の回動移動側である先端部８２の重量を軽くすることができる。これにより、回動アーム８を回動移動させる際に、より弱い駆動力で適切に回動駆動させることができる。
【００２５】
回動アーム８の先端部８２には、発光体３が待機位置にあることを検出するスイッチ８６Ａが設けてあり、回動アーム８の基端部８１には、回動アーム８が待機位置にあるときと回動位置にあるときとを検出するスイッチ８６Ｂが設けてある。
回動アーム８は、遊技盤２１に配設した回動アーム用駆動源８３を構成する電動モータ８３の出力軸に設けたギヤ８４Ａ及びこのギヤ８４Ａと噛合するギヤ８４Ｂを介して回動するよう構成してある。
【００２６】
次に、発光体３による作用効果につき説明する。
本例の遊技機１の発光体３は、パチンコ遊技において所定の演出条件が成立したとき、回動アーム８によって画像表示装置２２の前面側に配置され、発光体用駆動源３３によって駆動されて連続回転する。また、このとき、発光源７１から光Ｘが発せられ、この光Ｘは光反射部材４における半円状反射部４２によって反射されて、発光体３の各径方向発光部分３０の径方向外方Ｒの先端部に向けて誘導される。そして、この光Ｘは、反射ケース５１における底面部５１１の内側表面及びカバー５２における前面部５２１の内側表面に形成された金属メッキ面等によって反射され、また、多数のプリズム５５によって屈折されて、カバー５２の各径方向発光部分３０における光透過開口部６から遊技機１の前方Ｆ（発光体３の外部）へ照射される。
【００２７】
そして、発光体３を回転させながら、回転中心軸部３１の軸方向に垂直な方向に対称に設けた径方向発光部分３０から光Ｘを照射することにより、コンパクトに形成した（小型化した）発光体３であるにも拘らず、その光Ｘの照射領域を、回動領域の全体として拡大することができる。これにより、発光源７１から発せられた光Ｘを、発光体３の回動領域の全体から円形状に照射することができ、遊技機１における光Ｘの演出効果を向上させることができる。
【００２８】
また、本例においては、発光源７１自体を回動させることがないため、発光源７１の配線が捩れることがなく、発光源７１の配線構造を簡単にすることができる。そして、本例においては、スリップリング等を用いる必要がなく、発光体３を駆動する発光体用駆動源３３の低容量化、低コスト化を図ることができる。また、スリップリング等を用いていないので発光体３に関連する重量の軽量化、低摩擦化を図ることができ、本例のように発光体３自体を回動アーム８等で回動移動させるように構成した場合でも、より弱い駆動力で精度よく回動駆動させることができる。
それ故、本例の遊技機１の発光体３によれば、遊技機１における光Ｘの演出効果を向上させることができると共に、発光源７１の配線構造を簡単にし、発光体用駆動源３３の低容量化、低コスト化を図ることができる。
【００２９】
発光体３は、本例のような棒状体に限定されず、十字形状や星型形状等、様々な幾何学形状に形成することもできる。半円状反射部４２は、円すい形状等、径方向外方Ｒに向けて適切に光Ｘを反射誘導させることが可能であれば様々な形状で形成することもできる。
発光体３の駆動形態は、本例のように発光体３の略中心部に回転軸を設けて回転移動すること以外にも、例えば、発光体３の端部に回転軸を設けて往復回動移動するように構成することもできる。発光体３の配設箇所は、遊技盤２１とする以外にも、遊技機１における本体枠２、ガラス枠２４、球皿２３等の構成部とすることもできる。
【００３０】
発光源７１は、回転中心軸部３１の回りの４箇所に配設する以外にも、回転中心軸部３１の回りの３箇所又は５箇所以上に配設することもできる。また、発光源７１の配設位置は、発光体３の回転移動の過程で、光誘導部４に対して発光源７１の少なくとも１つが常に対面するように構成されていれば、どのように配設することもできる。
本例の発光体３を採用する遊技機１は、パチンコ遊技機とする以外にも、アレンジボール式遊技機や、メダルや遊技球を遊技媒体として使用するスロットマシン等、その他の遊技機とすることもできる。
【００３１】
（実施例２）
本例は、図７に示すごとく、光誘導部４の構造を上記実施例１とは異ならせた例である。
本例の光誘導部４は、透明材料からなる透明導光部材４５から構成してある。透明導光部材４５は、その内部において、発光源７１から発せられた軸方向前方Ｆへ向かう光Ｘを径方向外方Ｒへ通過させるよう構成してある。具体的には、透明導光部材４５は、発光源７１の前方に位置する前方部４５１と、前方部４５１に対して略直角に屈曲形成した屈曲部４５２とからなる屈曲形状を有している。
【００３２】
同図に示すごとく、透明導光部材４５は、その前方部４５１の後方端面を発光源７１の前方に配置し、屈曲部４５２を反射ケース５１及びカバー５２によって形成した中空形状の径方向発光部分３０の反射空間３２内に配置するよう構成されている。この反射空間３２は、上記実施例１と同様に、反射ケース５１及びカバー５２における内側表面に設けた金属メッキ、白色樹脂のコーティング等によって形成してある。
透明導光部材４５の後方位置には、透明導光部材４５を通過する光Ｘを屈折させて、光導出部６から遊技機１の前方Ｆへ照射させるための三角状、ドット状等の多数のプリズム形状４５３が形成してある。ここで、本例においては、光Ｘを屈折させるよう形成されたプリズム形状４５３が光反射部５の一部分として構成される。このプリズム形状４５３は、光導出部６の裏面（後面）側に対向する位置に対応して形成することができる。
【００３３】
本例の発光体３においては、発光源７１から発せられた光Ｘを、透明導光部材４５の前方部４５１及び屈曲部４５２によって径方向発光部分３０の反射空間３２内を径方向外方Ｒへ向けて誘導し、多数のプリズム形状４５３によって屈折させて、光透過開口部６から発光体３の前方Ｆへ照射する。このとき、透明導光部材４５によって光Ｘを効果的に径方向外方Ｒへ誘導することができ、透明導光部材４５から漏れた光Ｘは、反射空間３２によって光透過開口部６から前方Ｆへ照射することができる。
本例においても、発光体３等のその他の構成は上記実施例１と同様であり、上記実施例１と同様の作用効果を得ることができる。
【００３４】
透明導光部材４５の前方部４５１は、その外径が後方に向かって広くなるように末広がり形状に形成することもできる。この場合には、発光源７１から発せられた光Ｘを広範囲にわたって受け入れることができ、より照度が向上し、効果的に発光演出を行うことができる。また、透明導光部材４５については、前方部４５１をなくして屈曲部４５２のみ形成し、前方部４５１の替わりに上記実施例１で用いた光誘導部４の半円状反射部４２を設けることもできる。この場合にも、半円状反射部４２によって反射誘導された光Ｘを、屈曲部４５２の中心軸側の端面で受け入れて屈曲部４５２の径方向外方Ｒ側の端部へと誘導することができる。
【符号の説明】
【００３５】
１  遊技機
２  本体枠
３  発光体
３０  径方向発光部分
３１  回転中心軸部（回動中心軸部）
３２  反射空間
３３  発光体用駆動源
４  光誘導部（光反射部材）
４５  透明導光部材
５  光反射部
５１  反射ケース
５２  カバー
６  光導出部（光透過開口部）
７  ベース基板部
７１  発光源
８  回動アーム
Ｘ  光
【図１】
2011147471.tif 000003
【図２】
2011147471.tif 000004
【図３】
2011147471.tif 000005
【図４】
2011147471.tif 000006
【図５】
2011147471.tif 000007
【図６】
2011147471.tif 000008
【図７】
2011147471.tif 000009